(57)【特許請求の範囲】
【請求項１】
表側デッキボード及び裏側デッキボードの縁部周囲から水平方向に突出された突出部の重なり合いを防止するように構成された合成樹脂製パレットにおいて、合成樹脂製パレットの角部付近の側壁には、前記表側デッキボードの突出部から下方に延びるとともに前記裏側デッキボードの突出部には接していない垂直突条と、前記裏側デッキボードの突出部から上方に延びるとともに前記表側デッキボードの突出部には接していない垂直突条と、前記角部付近の側壁の高さ方向中央部で、且つ、前記垂直突条から、所定の間隙を置いて配置された垂直突条とからなる垂直突条群が形成されており、また、前記垂直突条群は、合成樹脂製パレットの角部を挟んで、合成樹脂製パレットの両側面に形成されており、更に、前記表側デッキボード及び前記裏側デッキボードの角部には、前記表側デッキボード及び前記裏側デッキボードの縁部周囲から水平方向に突出する突出部が形成されていないことを特徴とする合成樹脂製パレット。
【請求項２】
表側デッキボード及び裏側デッキボードの縁部周囲から水平方向に突出された突出部の重なり合いを防止するように構成された合成樹脂製パレットにおいて、合成樹脂製パレットの角部付近の側壁には、前記表側デッキボードの突出部から下方に延びるとともに前記裏側デッキボードの突出部には接していない垂直突条と、前記裏側デッキボードの突出部から上方に延びるとともに前記表側デッキボードの突出部には接していない垂直突条とからなり、且つ、前記垂直突条間には、所定の間隙が形成されている垂直突条群が形成されており、また、前記垂直突条群は、合成樹脂製パレットの角部を挟んで、合成樹脂製パレットの両側面に形成されており、更に、前記表側デッキボード及び前記裏側デッキボードの角部には、前記表側デッキボード及び前記裏側デッキボードの縁部周囲から水平方向に突出する突出部が形成されていないことを特徴とする合成樹脂製パレット。
【発明の詳細な説明】
【０００１】
【発明の属する技術分野】
本発明は、種々の物品を載置して、運搬或いは保管するための合成樹脂製パレットに関するものである。
【０００２】
【従来の技術】
従来、パレットの側壁に貼着されるシールやバーコード等を保護するために、表側デッキボード及び裏側デッキボードの縁部周囲から水平方向に突出する突出部を形成した合成樹脂製パレットが知られている。
【０００３】
【発明が解決しようとする課題】
従来の合成樹脂製パレットＰの角部の斜視図である図５に示されているように、合成樹脂製パレットＰの側壁１に貼着されるシールやバーコード等を保護するために、表側デッキボード２及び裏側デッキボード３の縁部周囲から、水平方向に突出する突出部２ａ、３ａを形成して、側壁１を、表側デッキボード２及び裏側デッキボード３から引っ込めるように構成されている。なお、４は、フォーク差し込み口である。
【０００４】
図６（ａ）に示されているように、上述した従来の合成樹脂製パレットが２枚、併置されている場合に、例えば、右側に位置する合成樹脂製パレットＰの右方向のフォーク差し込み口にフォークを差し込もうとすると、右側の合成樹脂製パレットＰが、左側に位置する合成樹脂製パレットＰ’（なお、左側に位置する合成樹脂製パレット及びその構成部分には、ダッシュ（’）が付されている。）の方向に押されて、右側の合成樹脂製パレットＰの裏側デッキボード３に形成された突出部３ａが、左側の合成樹脂製パレットＰ’の裏側デッキボード３’に形成された突出部３ａ’の下に入り込むようなことがある。このような状態で、右側の合成樹脂製パレットＰをフォークリフトで上昇させると、右側の合成樹脂製パレットＰの裏側デッキボード３に形成された突出部３ａにより、左側の合成樹脂製パレットＰ’の一端が持ち上げられて傾斜し、左側の合成樹脂製パレットＰ’に物品が載置されている場合には、物品が落下したり、或いは、左側の合成樹脂製パレットＰ’に合成樹脂製パレットが段積みされている場合には、段積みされた合成樹脂製パレットが崩れて落下する等の問題があった。
【０００５】
また、右側の合成樹脂製パレットＰの裏側デッキボード３に形成された突出部３ａが、左側の合成樹脂製パレットＰ’の裏側デッキボード３’に形成された突出部３ａ’の上に載置された場合にも、この状態で、右側の合成樹脂製パレットＰをフォークリフトで上昇させると、右側の合成樹脂製パレットＰの裏側デッキボード３に形成された突出部３ａが、その上昇過程において、左側の合成樹脂製パレットＰ’の表側デッキボード２’に形成された突出部２ａ’に引っ掛ることになり、従って、左側の合成樹脂製パレットＰ’の一端が持ち上げられて傾斜することになる。
【０００６】
左側の合成樹脂製パレットＰ’の側壁１’と右側の合成樹脂製パレットＰの側壁１が平行を保ったままで当接した場合には、右側の合成樹脂製パレットＰの表、裏側デッキボード２、３に形成された突出部２ａ、３ａが、左側の合成樹脂製パレットＰ’の表、裏側デッキボード２’、３’に形成された突出部２ａ’、３ａ’とほぼ線で接触することになり、右側の合成樹脂製パレットＰの裏側デッキボード３に形成された突出部３ａが、左側の合成樹脂製パレットＰ’の裏側デッキボード３’に形成された突出部３ａ’に下に入り込むようなことが比較的少ない。しかしながら、通常の作業においては、図７に示されているように、フォークＦにより移動した右側の合成樹脂製パレットＰの角部Ｃが、左側の合成樹脂製パレットＰ’の側壁１’に当接する場合が多く、従って、右側の合成樹脂製パレットＰの裏側デッキボード３に形成された突出部３ａが、左側の合成樹脂製パレットＰ’の裏側デッキボード３’に形成された突出部３ａ’に下に入り込むようなことがしばしば発生することになる。
【０００７】
また、右側の合成樹脂製パレットＰと左側の合成樹脂製パレットＰ’とがローラーコンベヤーやベルトコンベヤー等の搬送手段により搬送されている場合に、左側の合成樹脂製パレットＰ’を、図示されていないストッパーにより停止した際に、図６（ｂ）に示されているように、右側の合成樹脂製パレットＰの表、裏側デッキボード２、３に形成された突出部２ａ、３ａが、左側の合成樹脂製パレットＰ’の表、裏側デッキボード２’、３’に形成された突出部２ａ’、３ａ’の上に乗っかって、左側の合成樹脂製パレットＰ’を、搬送手段から排出するのが困難になる等の問題があった。
【０００８】
本発明の目的は、上述した従来の合成樹脂製パレットが有する課題を解決するとともに、その取扱性の向上した合成樹脂製パレットを提供することにある。
【０００９】
【課題を解決するための手段】
本発明は、上述した目的を達成するために、第１には、表側デッキボード及び裏側デッキボードの縁部周囲から水平方向に突出された突出部の重なり合いを防止するように構成された合成樹脂製パレットにおいて、合成樹脂製パレットの角部付近の側壁には、前記表側デッキボードの突出部から下方に延びるとともに前記裏側デッキボードの突出部には接していない垂直突条と、前記裏側デッキボードの突出部から上方に延びるとともに前記表側デッキボードの突出部には接していない垂直突条と、前記角部付近の側壁の高さ方向中央部で、且つ、前記垂直突条から、所定の間隙を置いて配置された垂直突条とからなる垂直突条群が形成されており、また、前記垂直突条群は、合成樹脂製パレットの角部を挟んで、合成樹脂製パレットの両側面に形成されており、更に、前記表側デッキボード及び前記裏側デッキボードの角部には、前記表側デッキボード及び前記裏側デッキボードの縁部周囲から水平方向に突出する突出部を形成しないようにしたものであり、第２には、表側デッキボード及び裏側デッキボードの縁部周囲から水平方向に突出された突出部の重なり合いを防止するように構成された合成樹脂製パレットにおいて、合成樹脂製パレットの角部付近の側壁には、前記表側デッキボードの突出部から下方に延びるとともに前記裏側デッキボードの突出部には接していない垂直突条と、前記裏側デッキボードの突出部から上方に延びるとともに前記表側デッキボードの突出部には接していない垂直突条とからなり、且つ、前記垂直突条間には、所定の間隙が形成されている垂直突条群が形成されており、また、前記垂直突条群は、合成樹脂製パレットの角部を挟んで、合成樹脂製パレットの両側面に形成されており、更に、前記表側デッキボード及び前記裏側デッキボードの角部には、前記表側デッキボード及び前記裏側デッキボードの縁部周囲から水平方向に突出する突出部を形成しないようにしたものである。
【００１０】
【実施例】
以下に、本発明の合成樹脂製パレットの全体斜視図である図１、本発明の合成樹脂製パレットの角部付近の斜視図である図２、図２のＩ−Ｉ線に沿った断面図である図３及び本発明の他の実施例の合成樹脂製パレットの角部付近の斜視図である図４を用いて、本発明の実施例について説明するが、本発明の趣旨を越えない限り何ら、本実施例に限定されるものではない。なお、本発明の合成樹脂製パレットにおいても、上述した従来の合成樹脂製パレットと同じ構成部分には、同一の符号が使用されている。
【００１１】
本発明においては、合成樹脂製パレットＰの４つの角部には、表側デッキボード２の突出部２ａ及び裏側デッキボード３の突出部３ａが形成されておらず、合成樹脂製パレットＰの４つの角部において、表側デッキボード２と裏側デッキボード３を連結している筒状の角部桁５のアール部５ａに沿って、表側デッキボード２の突出部２ａ及び裏側デッキボード３の突出部３ａが削除されている。このように、表側デッキボード２及び裏側デッキボード３の角部には、突出部２ａ、３ａが形成されておらず、表側デッキボード２及び裏側デッキボード３の角部に位置する側面と、表側デッキボード２と裏側デッキボード３を連結している角部桁５のアール部５ａの側面とは、略面一に形成されている。なお、表側デッキボード２及び裏側デッキボード３の突出部２ａ、３ａが形成されていない角部の範囲は、角部桁５のアール部５ａと同じでも、また、角部桁５のアール部５ａより狭い範囲でも、更には、角部桁５のアール部５ａより広い範囲でもよい。
【００１２】
また、表側デッキボード２及び裏側デッキボード３の突出部２ａ、３ａが形成されている角部付近の合成樹脂製パレットＰの側壁１には、表側デッキボード２の突出部２ａと裏側デッキボード３の突出部３ａとを連結しないような、複数の垂直突条群６が形成されている。
【００１３】
図２に示されている実施例においては、突出部２ａ、３ａが形成されていない合成樹脂製パレットＰの角部側には、表側デッキボード２の突出部２ａ及び裏側デッキボード３の突出部３ａから、それぞれ、垂直方向に延びるとともに、その中央部において不連続な角部側垂直突条６ａが形成されており、そして、角部側垂直突条６ａに対して、合成樹脂製パレットＰの中央寄りの側壁１には、合成樹脂製パレットＰの側壁１の高さ方向の中央部で、且つ、表側デッキボード２の突出部２ａ及び裏側デッキボード３の突出部３ａからは、所定の間隔を置いて配置された中央寄り垂直突条６ｂが形成されている。上記の角部側垂直突条６ａと中央寄り垂直突条６ｂからなる垂直突条群６は、合成樹脂製パレットＰの角部を挟んで、合成樹脂製パレットＰの両側壁１に形成されている。
【００１４】
上述した垂直突条群６を構成する角部側垂直突条６ａ及び中央寄り垂直突条６ｂの水平断面形状は、図３に示されているように、合成樹脂製パレットＰの側壁１側が肉厚で、先端に向かうに従って、先細り状の形状の、例えば、台形状や半円状に形成されている。角部側垂直突条６ａ及び中央寄り垂直突条６ｂの水平断面形状を、このような形状とすることにより、角部側垂直突条６ａ及び中央寄り垂直突条６ｂの強度を高めることができ、角部側垂直突条６ａ及び中央寄り垂直突条６ｂの破損を防止することができる。
【００１５】
図４に示されている実施例は、突出部２ａ、３ａが形成されていない合成樹脂製パレットＰの角部側には、表側デッキボード２の突出部２ａから下方に延びるとともに、裏側デッキボード３の突出部３ａとの間には、所定の間隙を有する、即ち、裏側デッキボード３の突出部３ａには接していない、角部側垂直突条６ｃが形成されており、そして、角部側垂直突条６ｃに対して、合成樹脂製パレットＰの中央寄りの側壁には、裏側デッキボード３の突出部３ａから上方に延びるとともに、表側デッキボード２の突出部２ａとの間には、所定の間隙を有する、即ち、表側デッキボード２の突出部２ａには接していない、中央寄り垂直突条６ｄが形成されている。角部側垂直突条６ｃと中央寄り垂直突条６ｄとの間には、横方向に、所定の間隙が形成されている。このように、図４に示されている実施例においては、上記の角部側垂直突条６ｃと中央寄り垂直突条６ｄとにより、垂直突条群６が構成されている。
【００１６】
なお、上述した垂直突条群６の合成樹脂製パレットＰの側壁１からの突出量は、表、裏側デッキボード２、３に形成された突出部２ａ、３ａの側壁１からの突出量と略同じに形成されている。
【００１７】
上述したように、表側デッキボード２及び裏側デッキボード３の角部には、突出部２ａ、３ａが形成されておらず、表側デッキボード２及び裏側デッキボード３の角部に位置する側面と、表側デッキボード２と裏側デッキボード３を連結している角部桁５のアール部５ａの側面とは、略面一に形成されているので、一方の合成樹脂製パレットＰの角部が、他方の合成樹脂製パレットＰに当接した場合に、合成樹脂製パレットＰ同士が重なり合うようなことがない。
【００１８】
また、合成樹脂製パレットＰの角部を挟んで、合成樹脂製パレットＰの両側壁１に、垂直突条群６を突設したので、一方の合成樹脂製パレットＰが、他方の合成樹脂製パレットＰに当接しても、合成樹脂製パレットＰに形成された垂直突条群６を構成する角部側垂直突条６ａ、６ｃと中央寄り垂直突条６ｂ、６ｄが、合成樹脂製パレットＰの表、裏側デッキボード２、３に形成された突出部２ａ、３ａに当接し、従って、合成樹脂製パレットＰの表、裏側デッキボード２、３に形成された突出部２ａ、３ａ同士が重なり合うようなことがない。
【００１９】
更に、垂直突条群６を構成する角部側垂直突条６ａ、６ｃと中央寄り垂直突条６ｂ、６ｄは、いずれも、表側デッキボード２の突出部２ａと裏側デッキボード３の突出部３ａとを連結しておらず、且つ、横方向に隣接する角部側垂直突条６ａ、６ｃと中央寄り垂直突条６ｂ、６ｄとの間には、所定の間隙が形成されているので、合成樹脂製パレットＰを立てた状態、即ち、合成樹脂製パレットＰの物品載置面が略垂直となるような状態で、合成樹脂製パレットＰを洗浄した際に、表側デッキボード２と裏側デッキボード３の突出部２ａ、３ａ間や、垂直突条群６間に溜まった洗浄液が、角部側垂直突条６ａ、６ｃと中央寄り垂直突条６ｂ、６ｄとの間に形成された間隙を、通って排出されるので、合成樹脂製パレットＰの洗浄性が向上する。
【００２０】
なお、表側デッキボード２の突出部２ａと裏側デッキボード３の突出部３ａとを連結しておらず、横方向に隣接する角部側垂直突条６ａ、６ｃと中央寄り垂直突条６ｂ、６ｄとの間に、所定の間隙が形成されるものであれば、上述した垂直突条群６を構成する垂直突条の配置は、図２及び図４に示されている実施例に限定されるものではなく、種々の配置が可能である。
【００２１】
【発明の効果】
本発明は、以上説明したように構成されているので、以下に記載する効果を奏することができる。
【００２２】
併置された合成樹脂製パレット同士の突出部が重なり合うことがないので、一方の合成樹脂製パレットの上昇により、もう一方の合成樹脂製パレットの一端が持ち上げられて傾斜したり、或いは、一方の合成樹脂製パレットの突出部が、もう一方の合成樹脂製パレットの突出部の上に乗りかかるようなことが防止できるとともに、合成樹脂製パレットの洗浄性が向上する。
【００２３】
垂直突条の水平断面形状が、先端に向かうに従って、先細り状に形成されているので、垂直突条の強度を高めることができ、垂直突条の破損を防止することができる。
【００２４】
表側デッキボード及び裏側デッキボードの角部には、突出部が形成されていないので、一方の合成樹脂製パレットの角部が、他方の合成樹脂製パレットに当接しても、合成樹脂製パレット同士の突出部が重なり合うことがないので、一方の合成樹脂製パレットの上昇により、もう一方の合成樹脂製パレットの一端が持ち上げられて傾斜したり、或いは、一方の合成樹脂製パレットの突出部が、もう一方の合成樹脂製パレットの突出部の上に乗りかかるようなことが防止できる。
【図面の簡単な説明】
【図１】図１は本発明の合成樹脂製パレットの全体斜視図である。
【図２】図２は本発明の合成樹脂製パレットの角部付近の斜視図である。
【図３】図３は図２のＩ−Ｉ線に沿った断面図である。
【図４】図４は本発明の他の実施例の合成樹脂製パレットの角部付近の斜視図である。
【図５】図５は従来の合成樹脂製パレットの角部付近の斜視図である。
【図６】図６は従来の合成樹脂製パレット同士の当接状態を示す部分正面図である。
【図７】図７は従来の合成樹脂製パレット同士の当接状態を示す平面図である。
【符号の説明】
Ｃ・・・・・・・角部
Ｐ・・・・・・・合成樹脂製パレット
２・・・・・・・表側デッキボード
３・・・・・・・裏側デッキボード
２ａ、３ａ・・・突出部
６・・・・・・・垂直突条群
【図１】
0004059542.tif 000002
【図２】
0004059542.tif 000003
【図３】
0004059542.tif 000004
【図４】
0004059542.tif 000005
【図５】
0004059542.tif 000006
【図６】
0004059542.tif 000007
【図７】
0004059542.tif 000008